(57)【要約】【課題】太陽光の直射（直達光）を抑制するとともに効率良く採光でき、室内側から室外側を見ることが可能な採光シートを提供する。【解決手段】シート面が鉛直に建物開口部に配置される採光シート２０であって、透光性を有する基材層２２と、基材層の一方の面に形成され、光を散乱する光散乱層２３とを備え、光散乱層は、基材層の一方の面に沿って複数並べて配置され、屈折率がＮＰである光を透過する光透過部２４と、複数の光透過部間に配置され、光を散乱する光散乱部２５と、を有し、採光シートが建物開口部に配置された姿勢で、隣接する２つの光散乱部の厚さ方向断面における向かい合う辺について、下方の光散乱部の辺の室内側端部と、隣接した上方の光散乱部の辺の室外側端部とを結ぶ見込み線が水平面となす角を見込み角θ１、一年のうちで太陽の南中高度が最も高いときの仰角をθＳＨ、空気中の屈折率をＮ０としたとき、所定の関係が成立する。【選択図】図３
2014119737.tif 000002
【特許請求の範囲】
【請求項１】
シート面が鉛直となるように建物開口部に配置されるシート状である採光シートであって、
透光性を有するシート状の基材層と、
前記基材層の一方の面に形成され、光を散乱する光散乱層と、を備え、
前記光散乱層は、
前記基材層の一方の面に沿って複数並べて配置され、屈折率がＮＰである材料により形成された光を透過する光透過部と、
複数の前記光透過部間に配置され、光を散乱する材料が充填された光散乱部と、を有し、
前記採光シートが前記建物開口部に配置された姿勢で、隣接する２つの前記光散乱部の厚さ方向断面における向かい合う辺について、下方に配置される前記光散乱部の辺の室内側端部と、隣接して上方に配置される前記光散乱部の辺の室外側端部とを結ぶ見込み線が水平面となす角を見込み角θ１、一年のうちで太陽の南中高度が最も高いときの仰角をθＳＨ、空気中の屈折率をＮ０としたとき、下記式が成立する、採光シート。
【数１】
2014119737.tif 000018
【請求項２】
一年のうちで太陽の南中高度が最も低い時の仰角をθＳＬとしたとき、下記式が成立する請求項１に記載の採光シート。
【数２】
2014119737.tif 000019
【請求項３】
シート面が鉛直となるように建物開口部に配置されるシート状である採光シートであって、
透光性を有するシート状の基材層と、
前記基材層の一方の面に形成され、光を散乱する光散乱層と、を備え、
前記光散乱層は、
前記基材層の一方の面に沿って複数並べて配置され、屈折率がＮＰである材料により形成された光を透過する光透過部と、
複数の前記光透過部間に配置され、光を散乱する材料が充填された光散乱部と、を有し、
前記採光シートが前記建物開口部に配置された姿勢で、隣接する２つの前記光散乱部の厚さ方向断面における向かい合う辺について、下方に配置される前記光散乱部の辺の室内側端部と、隣接して上方に配置される前記光散乱部の辺の室外側端部とを結ぶ見込み線が水平面となす角を見込み角θ１、空気中の屈折率をＮ０としたとき、下記式が成立する、採光シート。
【数３】
2014119737.tif 000020
【請求項４】
透光性を有する板状のパネルと、
前記パネルの一方の面に貼付される請求項１〜３のいずれか記載の採光シートと、
少なくとも前記パネルの周囲を囲むように配置される枠と、を備える採光装置。
【請求項５】
壁に形成された開口部に請求項４に記載の採光装置が設置された建物。
【発明の詳細な説明】
【技術分野】
【０００１】
本発明は、建物等の内部に日光等の外光を採り入れるための採光シート、採光装置、及びこれを用いた建物に関する。
【背景技術】
【０００２】
いわゆる窓ガラスにより、建物の内部に日光等の外光を採り入れて明るく快適な室内空間を形成することはよく知られている。しかし一方で当該窓ガラスに入射した外光をそのまま室内に採り入れると、まぶしさを感じる等の不具合を生じることもある。これに対して、直射日光を制御してより快適な態様で室内側に採り入れる技術がいくつか提案されている。
【０００３】
特許文献１には、太陽光を建物内に取り入れる部位に配置される太陽光取り入れ制御用の光制御シートが開示されている。これは太陽光を透過する光透過性部と、太陽光を吸収する遮光部群とからなり、遮光部群はシート内の一方向に所定ピッチで、遮光部を複数配列させているものである。
【０００４】
また特許文献２には、太陽光を採り入れるよう建物の開口部に設けられる板状の採光用光学素子が開示されている。これは、同一平面上に詰めて設けられた多数のプリズム部から成り、各プリズム部の斜面は、太陽の仰角が臨界仰角より小さい場合には太陽光を透過させ臨界仰角以上の場合には全反射させる角度となっており、太陽の仰角が臨界仰角以上の場合の全体の採光量は、臨界仰角より小さい場合の全体の採光量に比べて少なくなる形態を備えている。
【先行技術文献】
【特許文献】
【０００５】
【特許文献１】特開２０１０−２５９４０６号公報
【特許文献２】特開２００３−１５７７０７号公報
【発明の概要】
【発明が解決しようとする課題】
【０００６】
しかしながら、特許文献１に開示されているような構成の光制御シートでは、外光（太陽光）の一部を遮光部群が吸収してしまうため、該光制御シートを建物等の窓に適用した場合、外光を吸収してしまい外光を効果的に室内に採り入れることが難しかった。
また、特許文献２に開示されている技術では、外側から入射する光について制御することができるが、室内側から外を見たときに像が屈折するため、外の景色を見るための鮮明さに不足があった。さらに、特許文献２に開示されている採光用光学素子は、プリズム状の凹凸が室内側に露出しているため、設置場所によっては損傷を受けやすく、耐久性に問題があった。
【０００７】
そこで本発明は上記した問題点に鑑み、太陽光の直射（直達光）を抑制するとともに効率良く採光でき、室内側から室外側を見ることが可能な採光シートを提供することを課題とする。また、これを用いた採光装置及び建物を提供する。
【課題を解決するための手段】
【０００８】
以下、本発明について説明する。なお、本発明の理解を容易にするために添付図面の参照符号を括弧書きにて付記するが、これにより本発明が図示の形態に限定されるものではない。
【０００９】
請求項１に記載の発明は、シート面が鉛直となるように建物開口部に配置されるシート状である採光シート（２０）であって、透光性を有するシート状の基材層（２２）と、基材層の一方の面に形成され、光を散乱する光散乱層（２３）と、を備え、光散乱層は、基材層の一方の面に沿って複数並べて配置され、屈折率がＮＰである材料により形成された光を透過する光透過部（２４）と、複数の光透過部間に配置され、光を散乱する材料が充填された光散乱部（２５）と、を有し、採光シートが建物開口部に配置された姿勢で、隣接する２つの光散乱部の厚さ方向断面における向かい合う辺について、下方に配置される光散乱部の辺の室内側端部と、隣接して上方に配置される光散乱部の辺の室外側端部とを結ぶ見込み線が水平面となす角を見込み角θ１、一年のうちで太陽の南中高度が最も高いときの仰角をθＳＨ、空気中の屈折率をＮ０としたとき、下記式が成立する、採光シートである。
【００１０】
【数１】
2014119737.tif 000003
【００１１】
請求項２に記載の発明は、請求項１に記載の採光シート（２０）において、一年のうちで太陽の南中高度が最も低い時の仰角をθＳＬとしたとき、下記式が成立する。
【００１２】
【数２】
2014119737.tif 000004
【００１３】
請求項３に記載の発明は、シート面が鉛直となるように建物開口部に配置されるシート状である採光シート（２０）であって、透光性を有するシート状の基材層（２２）と、基材層の一方の面に形成され、光を散乱する光散乱層（２３）と、を備え、光散乱層は、基材層の一方の面に沿って複数並べて配置され、屈折率がＮＰである材料により形成された光を透過する光透過部（２４）と、複数の光透過部間に配置され、光を散乱する材料が充填された光散乱部（２５）と、を有し、採光シートが建物開口部に配置された姿勢で、隣接する２つの光散乱部の厚さ方向断面における向かい合う辺について、下方に配置される光散乱部の辺の室内側端部と、隣接して上方に配置される光散乱部の辺の室外側端部とを結ぶ見込み線が水平面となす角を見込み角θ１、空気中の屈折率をＮ０としたとき、下記式が成立する、採光シートである。
【００１４】
【数３】
2014119737.tif 000005
【００１５】
請求項４に記載の発明は、透光性を有する板状のパネル（１３）と、パネルの一方の面に貼付される請求項１〜３のいずれか記載の採光シート（２０）と、少なくともパネルの周囲を囲むように配置される枠（１１）と、を備える採光装置（１０）である。
【００１６】
請求項５に記載の発明は、南側の壁に形成された開口部に請求項４に記載の採光装置（１０）が設置された建物（１）である。
【発明の効果】
【００１７】
本発明によれば、太陽光の直射（直達光）を抑制するとともに効率良く採光でき、室内側から室外側を見ることが可能となる。
【図面の簡単な説明】
【００１８】
【図１】第一実施形態を説明する図で、建物１の外観斜視図である。
【図２】採光装置１０を正面視した図である。
【図３】採光パネル１２の層構成を説明する図である。
【図４】光散乱層２３の形態を説明する図である。
【図５】図５（ａ）は光散乱部の脚部が凸状である例、図５（ｂ）は光散乱部の脚部が凹状である例、図５（ｃ）は光散乱部の脚部が折れ線状である例、図５（ｄ）は光散乱部の下底が凹状である例、図５（ｅ）は光散乱部が三角形断面である例である。
【図６】採光シート２０の効果を説明する１つの図である。
【図７】採光シート２０の効果を説明する他の図である。
【図８】見込み角θ１を決める１つの態様を説明する図である。
【図９】見込み角θ１を決める他の態様を説明する図である。
【図１０】採光シートの変形例である採光パネル１２’の層構成を説明する図である。
【図１１】第二実施形態を説明する図で、採光パネル１１２の層構成を説明する図である。
【図１２】光散乱層１２３の形状を説明する図である。
【図１３】実施例１の採光パネルの構成を説明する図である。
【図１４】実施例２の採光パネルの構成を説明する図である。
【図１５】実施例３の採光パネルの構成を説明する図である。
【図１６】実施例４の採光パネルの構成を説明する図である。
【図１７】比較例１の採光パネルの構成を説明する図である。
【発明を実施するための形態】
【００１９】
本発明の上記した作用及び利得は、次に説明する発明を実施するための形態から明らかにされる。以下本発明を図面に示す実施形態に基づき説明する。ただし本発明は当該実施形態に限定されるものではない。なお、以下に示す各図では、分かりやすさのためその構造を誇張して記載することがある。また、各図では見易さのため、繰り返しとなる符号は一部を省略することがある。
【００２０】
図１は第一実施形態を説明する図であり、採光シート２０（図３参照）が備えられた建物１の外観斜視図である。建物１はいわゆるオフィスビルであり、南側に面する外壁には室内外を連通する複数の開口部が設けられ、ここに採光シート２０を具備する採光装置１０が配置されている。
図２には１つの採光装置１０を室外側から正面視した図を表した。このように採光装置１０は、枠１１と該枠１１の枠組み内に配置された採光パネル１２とを備えており、いわゆる窓として構成されている。そして当該採光装置１０が上記のように建物１の開口部に配置される。
【００２１】
図３には図２にＩＩＩ−ＩＩＩで示した線に沿った採光装置１０の鉛直方向断面のうち、採光パネル１２の層構成を模式的に表した。図３では採光パネル１２のパネル面が鉛直になるように建物１に取り付けられた姿勢で表されており、図３の紙面左が室外側、紙面右が室内側、紙面上方が天側、紙面下方が地側となる。
【００２２】
採光パネル１２は、図３からわかるように、パネル１３、及び該パネル１３に貼合された採光シート２０を備えている。また、採光シート２０は、室内側からハードコート層２１、基材層２２、光散乱層２３、及び接着層２６を備えている。以下、これらの各層について説明する。
【００２３】
パネル１３は、ガラスパネルや樹脂パネル等、通常の建物や乗り物の窓等に用いられる透光性を有する板状の透光パネルである。従って、パネル１３を構成する部材としては公知の板ガラスや樹脂板を用いることができる。上記した枠１１は少なくとも当該パネル１３の周囲に配置されることにより、採光パネル１２が枠１１の枠組み内に取り付けられる。
【００２４】
ハードコート層２１は、表面保護を目的として、採光シート２０のうちパネル１３とは反対側の最表面に設けられる層である。ハードコート層２１は透明な樹脂層として形成することができ、擦り傷、表面汚染に対する耐性の観点から、硬化性樹脂が硬化してなる樹脂硬化層として形成することが好ましい。
具体的には電離放射線硬化性樹脂、その他公知の硬化性樹脂等を要求性能に応じて適宜採用すればよい。電離放射線硬化性樹脂としては、アクリレート系、オキセタン系、シリコーン系等が挙げられる。例えば、アクリレート系の電離放射線硬化性樹脂は、単官能（メタ）アクリレートモノマー、２官能（メタ）アクリレートモノマー、３官能以上の（メタ）アクリレートモノマーなどの（メタ）アクリル酸エステルモノマー、ウレタン（メタ）アクリレート、エポキシ（メタ）アクリレート、ポリエステル（メタ）アクリレート等の（メタ）アクリル酸エステルオリゴマー乃至は（メタ）アクリル酸エステルプレポリマーなどからなる。さらに３官能以上の（メタ）アクリレートモノマーを例示すれば、トリメチロールプロパントリ（メタ）アクリレート、ペンタエリスリトールテトラ（メタ）アクリレート、ジペンタエリスリトールヘキサ（メタ）アクリレート等がある。
【００２５】
また、ハードコート層２１には、耐汚染性向上の機能を追加してもよい。これは例えばシリコーン系化合物、フッ素系化合物などを添加することにより可能となる。さらにその他の機能として帯電防止性向上、撥水性向上の機能を有するものとしてもよい。
帯電防止性向上のために用いることができる材料としては、電子伝導タイプではＰＥＤＯＴ−ＰＳＳ（ＰＥＤＯＴ（Ｐｏｌｙ（３，４−ｅｔｈｙｌｅｎｅｄｉｏｘｙｔｈｉｏｐｈｅｎｅ）；３，４−エチレンジオキシチオフェンポリマー）とＰＳＳ（ｐｏｌｙ（ｓｔｙｒｅｎｅｓｕｌｆｏｎａｔｅ）；スチレンスルホン酸ポリマー）とを共存）などが挙げられ、イオン導電タイプではリチウム塩系材料等が挙げられる。
また、撥水性向上のために用いることができる材料としては、フッ素系化合物等が挙げられる。
【００２６】
基材層２２は、光散乱層２３を形成するための基材となる層である。
従って基材層２２は、透光性を有するとともに光散乱層２３の変形を防止できるように支持する。かかる観点から、基材層２２を構成する材料の具体例として例えば、アクリル、スチレン、ポリカーボネート、ポリエチレンテレフタレート、アクリロニトリル等のうちの１つ以上を主成分とする透明樹脂や、エポキシアクリレートやウレタンアクリレート系の反応性樹脂（電離放射線硬化型樹脂等）を挙げることができる。
【００２７】
基材層２２の厚さは特に限定されないが、２５μｍ以上３００μｍ以下であることが好ましい。基材層２２の厚さがこの範囲を外れると、加工性に問題を生じる虞がある。例えば、基材層２２が薄過ぎればしわが生じやすくなる。また、基材層２２が厚過ぎれば、採光シート２０を製造する工程のうち中間工程において巻き取りが困難になる。
【００２８】
光散乱層２３は光透過部２４及び光散乱部２５を有している。光透過部２３は、図３に示した断面を有して基材層２２の面に沿った一方向（建物１に配置された姿勢で水平方向）に延びるように配置されるとともに、該一方向とは異なる方向の基材層２２の面に沿って（建物１に配置された姿勢で鉛直方向）複数の光透過部２４が所定の間隔で配列されている。本実施形態では隣り合う光透過部２４は基材層２２側の端部で連結され、一体化されている。
一方、光散乱部２５は隣り合う光透過部２４の間に配置されている。
【００２９】
図４には光散乱層２３の一部を拡大した図を示した。
光透過部２４は、光を透過する部位であり、光散乱層２３のうち光透過部２４が配置された部位における基材層２２側の面とその反対側面（接着層２６側の面）とは平行に形成されている。これによって、後に説明するように採光シート２０を通して室外側の景色がさらに見やすくなる。好ましくは光透過部２４は光を散乱させることなく透過する。これにより背面側の景色の見易さが向上する。ここに「光を散乱させることなく透過する」とは、意図的に散乱させる材料等を添加することなく形成された部位であることを意味し、材料中を光が透過するときに不可避的に散乱が生じることは許容される。
【００３０】
本実施形態では光透過部２４は図３、図４に表れる断面で２つの光散乱部２５間において略台形の断面を有しており、室外側が短い上底、室内側が長い下底であり光散乱部２５との界面を構成する辺が脚部となっている。
【００３１】
光透過部２４を構成する材料としては、例えば、アクリル、スチレン、ポリカーボネート、ポリエチレンテレフタレート、アクリロニトリル等の１つ以上を主成分とする透明樹脂や、エポキシアクリレートやウレタンアクリレート系の反応性樹脂（電離放射線硬化型樹脂等）を挙げることができる。
ここで光透過部２４を構成する材料の屈折率は、基材層２２の屈折率と同じであってもよいし、異なっていてもよい。ただし両者間で屈折率差があるとその界面で光が偏向されてしまう可能性が高まるので、同じ材料であること、又は異なる材料であっても屈折率差が小さい、あるいは屈折率差がないことが好ましい。
【００３２】
光散乱部２５は、隣り合う２つの光透過部２４間に形成される部位である。すなわち、上記したように光透過部２４はシート面に沿った方向に所定の間隔で並列され、光透過部２４間には、略台形断面を有する凹部が形成されている。本実施形態における凹部は、室外側（パネル１３側）に長い下底、室内側（基材層２２側）に短い上底を有する断面の溝であり、ここに光散乱部２５を構成する材料が充填されることにより光散乱部２５が形成されている。従って光散乱部２５は凹部に基づいた断面を具備している。
【００３３】
光散乱部２５は、ここに照射された光を散乱反射することができるように構成された層である。そのため、光散乱部２５には光を散乱反射するための材料が充填されている。光を散乱させるための材料は特に限定されることはないが、例としては、白色顔料や銀色顔料等の光散乱剤を混ぜた硬化性樹脂が挙げられる。白色顔料は、例えば、酸化チタン、二酸化チタン、酸化マグネシウム、酸化亜鉛などの金属酸化物が挙げられる。銀色顔料としては、例えば、アルミニウム、クロムなどの金属が挙げられる。これにより効率よく光を散乱反射させることができる。また、硬化性樹脂は光透過部２４を構成する材料と同様のものを用いることができる。
また、光散乱部２５を透明なバインダー樹脂と該バインダー樹脂とは屈折率が異なる透明な散乱剤とを混合させた材料で構成してもよい。透明なバインダー樹脂としては光透過部２４と同様なものを用いることができる。一方、当該透明な散乱剤としては、例えば、（メタ）アクリル酸エステル及びスチレンを中心としたモノマーを重合して得られた架橋粒子が挙げられる。当該架橋粒子の具体例としては、ガンツ化成株式会社製のガンツパール（登録商標）が挙げられる。上記架橋粒子は、アクリル酸エステル及びスチレンとの混合比を変えることによって、屈折率を制御することができる。例えば、アクリル比を高くすることで屈折率を１．４９程度にすることができ、スチレン比を高くすることで屈折率を１．５９程度にすることができる。また、散乱剤にはウレタン架橋粒子を用いることも可能である。当該ウレタン架橋粒子の具体例としては、根上工業株式会社製のアートパール（登録商標）が挙げられる。また、散乱剤は中空粒子にすることも可能である。
【００３４】
光散乱部２５の屈折率は特に限定されることはないが、光透過部２４の屈折率よりも低い屈折率であることが好ましい。これにより、後述するように光透過部２４と光散乱部２５との界面で、該界面に全反射臨界角より大きい角度で入射した光を全反射して偏向することが可能となる。偏向された光は、その向きが変わり、例えば天井に照射されるなどしてまぶしさを与える直達光でなくなることができる。光散乱部２５のうち光透過部との界面を形成する材料（上記した硬化性樹脂やバインダー）の屈折率は原材料の汎用性から１．４９以上１．５６の範囲が好ましく、１．４９以上１．５０以下であることがより好ましい。
また、そのときにおける光透過部２４と光散乱部２５との屈折率差は、０．０３以上０．０７以下、より好ましくは０．０５以上０．０６以下である。屈折率差が０より大きく０．０３より小さい範囲では、全反射時の波長分散（波長により全反射角度が異なることによる分散。）が生じた際に長波長の成分が全反射せず、短波長の成分のみが全反射することがあり、色彩の変化が生じる虞がある。一方、屈折率差が０．０６より大きいと、短波長の成分の屈折率が長波長の屈折率の成分の屈折率に対して大きくなる傾向にあり、虹状のムラが顕著に表れる虞がある。
ただし、これに限らず光散乱部２５と光透過部２４との屈折率を同じ大きさとしてもよい。
【００３５】
さらに、本実施形態では光散乱部２５は次のような形状を構成を備えている。図４を参照しつつ説明する。
２つの光散乱部２５の間には上記のように光透過部２４が配置される。従って、図４にＩＶａで示したように光透過部２４の対角線に相当する線を定義することができる。より詳しくは、隣り合う光散乱部２５の向かい合う辺について、下方に配置される光散乱部２５の辺の室内側端部と、隣接して上方に配置される光散乱部２５の辺の室外側端部とを結ぶ線ＩＶａを見込み線とし、該見込み線ＩＶａが水平面となす角のうち９０°以下の方の角を見込み角θ１とする。本実施形態では当該θ１が所定の値をとることが好ましい。θ１の具体的な説明は太陽光の光路に関係するので、後で光路例とともに説明する。
【００３６】
また、光散乱部２５の台形断面における脚部は、図４からわかるように、上方側となる脚部は水平面（採光シート２０のシート面の法線）に対してθＵを有して傾斜し、下方側となる脚部は同様にθＤを有して傾斜している。
θＵは後述するように、この斜辺で全反射した光をできるだけ上方に偏向する観点から決められることが好ましい。そのため、θＵを０°とすることができる。また、θＤは製造の観点から０°以上３０°以下とすることが好ましい。
【００３７】
光散乱部２５が並列されるピッチは、上記θ１が所定の値を満たす範囲であれば特に限定されないが、１０μｍ以上２００μｍ以下であることが好ましい。光散乱部２５のピッチが狭すぎると微細形状になるので製造の際に加工が困難になる。一方、光散乱部２５のピッチが広すぎると、金型で成形する際に材料の離型性が低下する傾向にある。
また、光散乱部２５の断面のうち、室外側（基材層２２と反対側で光透過部間の凹部の開口側）の大きさは特に限定されないが、５μｍ以上１５０μｍ以下であることが好ましい。この幅が狭すぎると微細形状になるので加工が困難になる。一方、この幅が広すぎると金型で成形する際に材料の離型性が低下する傾向にある。
【００３８】
光散乱部２５の厚さ方向の大きさ（図４の紙面左右方向）は、上記θ１が所定の値を満たす範囲であれば特に限定されないが、１０μｍ以上２００μｍ以下であることが好ましい。これが小さすぎると、光散乱部２５の加工自体が困難になる虞がある。一方、これが大きすぎると光散乱部２５を形成するための金型の製造、及び金型からの材料の離型性が低下し、生産性が悪くなる虞がある。
【００３９】
本実施形態では光散乱部２５の断面がθＤ＝θＵである等脚台形の例を説明したが、必ずしもこれに限らず、２つの脚部が異なるようにθＵとθＤとを変えてもよい。
また、脚部は曲線状、折れ線状であってもよい。図５に各例の光散乱部の断面形状を表した。図５（ａ）が脚部が凸状の曲線の光散乱部２５ａの例、図５（ｂ）が脚部が凹状の曲線の光散乱部２５ｂの例、及び図５（ｃ）が脚部が折れ線状の光散乱部２５ｃの例である。
図５（ｄ）には、光散乱部の断面うち下底側（光透過部間に形成される溝の開口側）が凹状に形成されている例の光散乱部２５ｄを表した。この場合、当該凹状の内側には隣接する接着層２６の接着剤が充填される。
図５（ｅ）には、光散乱部の断面形状が三角形である例の光散乱部２５ｅを表した。このように光散乱部は三角形断面を有するものであってもよい。
【００４０】
また、散乱反射をさせ易くするという観点から光散乱部２５と光透過部２４との界面を微小な凹凸が無数に形成された面であるマット面としてもよい。
【００４１】
図３に戻って他の構成についても説明を続ける。
接着層２６は、パネル１３に採光シート２０を接着するための層である。接着層２６を構成する材料としては、パネル１３に採光シート２０を接着できるものであれば特に限定されず、公知の粘着剤、接着剤、光硬化性樹脂、熱硬化性樹脂等を用いることができる。より具体的な例としては、接着層２６として、例えばアクリル系の粘着剤を用いることができ、さらに具体的にはアクリル系共重合体とイソシアネート化合物とを組み合わせた粘着剤を挙げることができる。ただし、接着層２６を構成する材料は、採光シート２０の性質上、透光性、耐候性に優れた材料によることが好ましい。
【００４２】
接着層２６の厚さは特に限定されないが、１０μｍ以上１００μｍ以下であることが好ましい。接着層２６が薄過ぎるとパネル１３と採光シート２０との密着性が低下する虞がある。また、接着層２６が厚過ぎると該接着層２６の厚さを均一にすることが困難になる。
【００４３】
以上説明した採光シート２０を具備する採光パネル１２により採光装置１０を形成し、これを図１に示したように建物１の開口部に配置する。次に、このように採光シート２０が配置された場面における作用、及び上記説明した見込み角θ１の好ましい値について、主要な光路に基づいて説明する。説明に必要な光路例を以下に示す図面に適宜表した。なお各図面に表した光路例は概念的なものであり、屈折、反射の程度等を厳密に表したものではない。
【００４４】
図６に１つの光路例である太陽Ｓからの光ＬＳ１を示した。図６からわかるようにＬＳ１はそのときの太陽高度に基づいて仰角（水平面からなす角）θＳ１で採光パネル１２に照射される。採光パネル１２に入射した光ＬＳ１は採光パネル１２を透過するうちに光散乱層２３の光透過部２４内を進む。光透過部２４内では、該光透過部の屈折率をＮＰ、室外の屈折率をＮ０とすれば、光ＬＳ１は、式（１）で表される太陽光進行角θＰ１で進む。
【００４５】
【数４】
2014119737.tif 000006
【００４６】
太陽光進行角θＰ１で進行した太陽光が光透過部２４と光散乱層２５との界面に達したとき、光透過部２４と光散乱部２５との屈折率差、及び太陽光進行角θＰ１の関係が全反射臨界角以上であれば図６のように界面で全反射する。これにより太陽光が偏向されて、まぶしさの原因となる直達光を抑制することが可能となる。
【００４７】
ここで、偏向される向きは界面に入射する角度である太陽光進行角θＰ１、及び光散乱部の傾斜角であるθＵに依存する。従って、ここで全反射した光が水平より上向きとなるようにθＵが決められることが好ましい。その中でも、全反射光の全てが上向きとなるように偏向することができることから、θＵ＝０°にすることができる。
【００４８】
図７には他の光路例である太陽Ｓからの光ＬＳ２を示した。図７からわかるようにＬＳ２はそのときの太陽高度に基づいて仰角（水平面からなす角）θＳ２で採光パネル１２に照射される。採光パネル１２に入射した光ＬＳ２は採光パネル１２を透過するうちに光散乱層２３の光透過部２４内を進む。光透過部２４内では、該光透過部の屈折率をＮＰ、室外の屈折率をＮ０とすれば、光ＬＳ２は、式（２）で表される太陽光進行角θＰ２で進む。
【００４９】
【数５】
2014119737.tif 000007
【００５０】
太陽光進行角θＰ２で進行した太陽光が光透過部２４と光散乱層２５との界面に達したとき、光透過部２４と光散乱部２５との屈折率差、及び太陽光進行角θＰ２の関係が全反射臨界角より小さければ図７のように光ＬＳ２は光散乱部２５内に侵入し、ここで散乱反射されて室内側に出射される。また、光透過部２４と光散乱部２５との間に屈折率差が無ければ全ての光は光散乱部２５内に入射して同様に散乱反射して室内側に出射される。
【００５１】
以上からわかるように、採光シート２０によれば、見込み角θ１によらず光ＬＳ１、ＬＳ２のように太陽光の少なくとも一部を全反射で偏向させ、及び／又は散乱反射させて室内側に提供することができ、太陽光の室内への入射量を大きく減じることなく、かつ、少なくとも一部の直達光（いわゆる直射日光）をなくすことが可能となる。これにより明るく、快適な室内空間を形成することができる。
【００５２】
さらに、採光シート２０には上記したように光透過部２４が備えられており、光透過部２４が配置される部位の光散乱層２３の表裏面は平行、平滑に形成されている。これにより、図６に示したように室外側の景色を伴う光ＬＫ１は室内にほとんど歪みなく入射することができ、これは室内側から室外側の景色を視認することができることを意味する。従って、採光シート２０は、さらに室外側の景色を視認し易い構造を具備している。
【００５３】
上記のように採光シート２０によれば、見込み角θ１によらず、効率よく室内に太陽光を取り入れつつも直達光の少なくとも一部をなくすことができる。ただし、より効果的に太陽光を光散乱部２５に照射させ、太陽光を散乱させて室内側に出射させる観点から見込み角θ１を所定の角度範囲に規定することが好ましい。以下に詳しく説明する。
【００５４】
図８に説明図を示した。ここでは、一年のうち最も南中高度が高いときの仰角θＳＨを考える。すなわち、少なくとも一年のうちで最も南中高度が高いときの仰角θＳＨで太陽光が採光パネル１２に入射したときに、太陽光からの直接光を全て光散乱部２５に到達させる観点からθ１を規定することができる。図８からわかるように、仰角θＳＨで入射した光ＬＳＨが必ず光散乱部２５に達するための限度は、光透過部２４内を光ＬＳＨが見込み線に沿って進む状況である。すなわち、光透過部２４内における太陽光進行角θＰＨが見込み角θ１と同じとなっていればよい。従って、これは、空気の屈折率をＮ０、光透過部の屈折率をＮｐとしたとき、屈折率、及び入射角の関係式により下記式（３）で表される。
【００５５】
【数６】
2014119737.tif 000008
【００５６】
式（２）から、見込み角θ１を下記式（４）を満たすように構成することにより、少なくとも一年のうちで最も南中高度が高いときの仰角θＳＨで太陽光が採光パネル１２に入射したときに、太陽光からの直接光を全て光散乱部２５に到達させることができる。
【００５７】
【数７】
2014119737.tif 000009
【００５８】
θＳＨは、所定の場所における南中高度が最も高い位置における仰角であるから、当該所定の場所ではこれ以上角度の大きい仰角は存在しない。従って、これより低い所定の仰角の太陽光までをも同様に光散乱部２５に全て到達させるためには、式（３）、式（４）を満たしつつ、さらに式（３）、式（４）のθＳＨのかわりに当該所定の仰角を考慮すれば同様にθ１のとるべき値を得ることができる。
【００５９】
例えば、一年のうち南中高度が最も高い時の仰角θＳＨと、一年のうち南中高度が最も低い時の仰角θＳＬとの間の仰角θＳＭ以上の仰角からの直接の太陽光を光散乱部に到達させたいときには、式（４）を満たしつつ式（５）を満たすように見込み角θ１を形成すればよい。
【００６０】
【数８】
2014119737.tif 000010
【００６１】
このように見込み角θ１を所定の角度にするための手段は、光散乱部のピッチ、光散乱部の脚部の角度（図４のθＵ、θＤ）、光散乱部の厚さ方向（図４の紙面左右方向）の大きさ、光透過部の屈折率を変更することを挙げることができる。これらを単独、又は複数組み合わせてθ１を所定の角度に調整することが可能である。
【００６２】
このようにθ１を小さくすることにより、季節による南中高度の違いだけでなく、一日のうちにおける太陽の高さの移動に伴う仰角の変化に対しても対応することができ、より多くの太陽光を光散乱部に到達させて全反射や散乱反射し、室内側に提供することが可能となる。
【００６３】
一方で、θ１を小さくすることにより光散乱層２３が厚くなったり、光透過部が小さくなったりすることもある。これらにより、室外側の視認性が低下する虞もある。かかる観点から、θ１の下限は特に限定されるものではないが、例えば図９に示したように一年のうち最も南中高度が低いときの仰角θＳＬからの直接の太陽光を全て光散乱部２５に到達させる観点からθ１の下限を決めてもよい。図９に説明のための図を示した。
基本的な考え方は式（３）、式（４）の算出と同様であるから、図９からわかるように、仰角θＳＬによる太陽光ＬＳＬが見込み線に沿うように進むことを考えればよいので、式（６）を得ることができる。
【００６４】
【数９】
2014119737.tif 000011
【００６５】
ここで、θＰＬは、仰角θＳＬのときの光透過部の太陽光進行角である。従って、式（４）及び式（６）を求めた趣旨から式（７）を得ることができる。
【００６６】
【数１０】
2014119737.tif 000012
【００６７】
ここでより具体的な例を挙げる。日本国内を考えたとき、札幌、東京、沖縄における一年のうち南中高度が最も高い時の仰角（θＳＨ）、一年のうち南中高度が最も低いときの仰角（θＳＬ）をそれぞれ表１に示した。
【００６８】
【表１】
2014119737.tif 000013
【００６９】
表１に基づいて、日本国内におけるθ１の範囲を式（８）又は式（９）のように構成してもよい。
【００７０】
【数１１】
2014119737.tif 000014
【００７１】
【数１２】
2014119737.tif 000015
【００７２】
式（８）によれば、日本国内の概ね全域において少なくとも夏至における南中高度からの太陽光の全ての直射光を光散乱部に到達させることができる。また、式（９）によれば、さらに高い視認性を有しつつ、多くの太陽光を光散乱部に到達させることが可能である。
【００７３】
採光シート２０には上記した各層のいずれかに、他の機能を付加させるための構成を備えてもよい。これには例えば、紫外線吸収剤、熱線吸収剤、又は近赤外線吸収剤を添加し、近赤外線吸収機能（熱線吸収機能）、紫外線吸収機能を備えさせることが考えられる。
【００７４】
近赤外線吸収機能（熱線吸収機能）は、近赤外線吸収剤（近赤外線吸収色素）を上記した各層の１つ又は複数に添加したり、塗布したりすることにより向上させることができる。近赤外線吸収色素としては、８００ｎｍ以上１１００ｎｍ以下の波長領域を吸収するものを用いることが好ましい。該波長領域の近赤外線の透過率が２０％以下であることが好ましく、１０％以下であることがさらに好ましい。一方で、近赤外線吸収色素は可視光領域、即ち、３８０ｎｍ以上７８０ｎｍ以下の波長領域で、十分な透過率を有することが好ましい。又は、アンチモンドープ酸化スズ（ＡＴＯ）またはスズドープ酸化インジウム（ＩＴＯ）、フタロシアニン化合物などの金属酸化物超微粒子などを上記した各層の１つ又は複数に添加したり、塗布したりすることにより向上させることができる。
【００７５】
紫外線吸収機能は、以下に例示する紫外線吸収剤を上記した各層の１つ又は複数に添加したり、塗布したりすることにより向上させることができる。紫外線吸収剤としては、ベンゾトリアゾール系紫外線吸収剤（ＴＩＮＵＶＩＮ  Ｐ、ＴＩＮＵＶＩＮ  Ｐ  ＦＬ、ＴＩＮＵＶＩＮ  ２３４、ＴＩＮＵＶＩＮ  ３２６、ＴＩＮＵＶＩＮ  ３２６  ＦＬ、ＴＩＮＵＶＩＮ  ３２８、ＴＩＮＵＶＩＮ  ３２９、ＴＩＮＵＶＩＮ  ３２９  ＦＬ、全てＢＡＳＦジャパン株式会社製）や、トリアジン系紫外線吸収剤（ＴＩＮＵＶＩＮ  １５７７  ＥＤ、ＢＡＳＦジャパン株式会社製）、ベンゾフェノン系紫外線吸収剤（ＣＨＩＭＡＳＳＯＲＢ  ８１、ＣＨＩＭＡＳＳＯＲＢ  ８１  ＦＬ、全てＢＡＳＦジャパン株式会社製）、ベンゾエート系紫外線吸収剤（ＴＩＮＵＶＩＮ  １２０、ＢＡＳＦジャパン株式会社製）などが挙げられる。
【００７６】
以上説明した採光パネル１２は例えば次のように製造することができる。すなわち、採光パネル１２は、パネル１３に採光シート２０を貼合することによって製造することができる。ここで採光シート２０は、例えば次のように作製することができる。
【００７７】
採光シート２０のうち光散乱層２３は金型ロールを用いる方法により形成することができる。すなわち、円筒状であるロールの外周面に光散乱層２３の光透過部２４を転写可能な凹凸が設けられた金型ロールを準備する。そして金型ロールとこれに対向するように配置されたニップロールとの間に、基材層２２となる基材を挿入する。そして、基材のうち一方の面と金型ロールとの間に光透過部２４を構成する組成物を供給しながら金型ロール及びニップロールを回転させる。これにより金型ロールの表面に形成された凹凸の凹部内に光透過部２４を構成する組成物が充填され、該組成物が金型ロールの凹凸の表面形状に沿ったものとなる。
【００７８】
ここで、光透過部２４を構成する組成物としては、上記したものが好ましいが、さらに具体的には次の通りである。すなわち、光硬化型プレポリマー（Ｐ１）に、反応性希釈モノマー（Ｍ１）及び光重合開始剤（Ｉ１）を配合した光硬化型樹脂組成物を用いることができる。
【００７９】
上記光硬化型プレポリマー（Ｐ１）としては、例えば、エポキシアクリレート系、ウレタンアクリレート系、ポリエーテルアクリレート系、ポリエステルアクリレート系、ポリチオール系等のプレポリマーを挙げることができる。
【００８０】
また、上記反応性希釈モノマー（Ｍ１）としては、例えば、ビニルピロリドン、２−エチルヘキシルアクリレート、β−ヒドロキシアクリレート、テトラヒドロフルフリルアクリレート等を挙げることができる。
【００８１】
また、上記光重合開始剤（Ｉ１）としては、例えば、ヒドロキシベンゾイル化合物（２−ヒドロキシ−２−メチル−１−フェニルプロパン−１−オン、１−ヒドロキシシクロヘキシルフェニルケトン、ベンゾインアルキルエーテル等）、ベンゾイルホルメート化合物（メチルベンゾイルホルメート等）、チオキサントン化合物（イソプロピルチオキサントン等）、ベンゾフェノン（ベンゾフェノン等）、リン酸エステル化合物（１，３，５−トリメチルベンゾイルジフェニルホスフィンオキシド、ビス（２，４，６−トリメチルベンゾイル）−フェニルホスフィンオキサイド等）、ベンジルジメチルケタール等が挙げられる。これらの中から、光硬化型樹脂組成物を硬化させるための照射装置及び光硬化型樹脂組成物の硬化性から任意に選択することができる。なお、光透過部１６の着色防止の観点から好ましいのは、２−ヒドロキシ−２−メチル−１−フェニルプロパン−１−オン、１−ヒドロキシシクロヘキシルフェニルケトン及びビス（２，４，６−トリメチルベンゾイル）−フェニルホスフィンオキサイドである。
【００８２】
これらの光硬化型プレポリマー（Ｐ１）、反応性希釈モノマー（Ｍ１）及び光重合開始剤（Ｉ１）は、それぞれ、１種類で、又は２種以上を組み合わせて用いることができる。
【００８３】
金型ロールと基材との間に挟まれ、ここに充填された光透過部２４を構成する組成物に対し、基材側から光照射装置により光を照射する。これにより、光透過部２４を構成する組成物を硬化させ、その形状を固定させることができる。そして、離型ロールにより金型ロールから基材層２２及び成形された光透過部２４を離型する。
【００８４】
次に、光透過部２４の凹部に光散乱部２５を構成する組成物を充填して硬化させることによって、光散乱部を形成することができる。このようにして、基材層２２上に光散乱層２３を形成することが可能である。
【００８５】
このようにして形成された光散乱層２３上に接着剤を積層して接着層２６とし、基材層２２にハードコート層２１を接着剤等により貼り付ける。これにより採光シート２０となる。
【００８６】
図１０は変形例にかかる採光シート２０’を備える採光パネル１２’を説明する図であり、図６に相当する図である。採光シート２０’は、光散乱部２５’がここに到達した光を透過散乱して室内側に出射する材料により構成されている。光散乱部２５’以外は採光シート２０と同じなので、当該同じ構成については説明を省略する。
【００８７】
光散乱部２５’は、透明なバインダー樹脂と該バインダー樹脂とは屈折率が異なる透明な散乱剤とを混合させた材料で構成することができる。透明なバインダー樹脂としては光透過部２４と同様なものを用いることができる。一方、当該透明な散乱剤としては、例えば、（メタ）アクリル酸エステル及びスチレンを中心としたモノマーを重合して得られた架橋粒子が挙げられる。当該架橋粒子の具体例としては、ガンツ化成株式会社製のガンツパール（登録商標）が挙げられる。上記架橋粒子は、アクリル酸エステル及びスチレンとの混合比を変えることによって、屈折率を制御することができる。例えば、アクリル比を高くすることで屈折率を１．４９程度にすることができ、スチレン比を高くすることで屈折率を１．５９程度にすることができる。また、散乱剤にはウレタン架橋粒子を用いることも可能である。当該ウレタン架橋粒子の具体例としては、根上工業株式会社製のアートパール（登録商標）が挙げられる。また、散乱剤は中空粒子にすることも可能である。
【００８８】
光散乱層２５’を備える採光シート２０’によれば、図１０からわかるように、光散乱部２５’に到達した光を散乱させつつ透過して室内側に出射することができる。これにより採光シート２０と同様に室内側に太陽光を出射しつつ直達光を減らすことが可能となる。
光散乱部２５’の形態を含め、他の部位の形態については採光シート２０と同様に考えることができる。
【００８９】
図１１は第二実施形態を説明する図であり、採光パネル１１２の層構成を表す断面図で、図３に相当する。採光パネル１１２は、上記説明した採光パネル１２と一部異なる構成を具備し、他の一部は採光パネル１２と同様である。当該同様の構成については同じ符号を付して説明を省略する。
採光パネル１１２は、パネル１３と、該パネル１３の室内側に配置された採光シート１２０と、を具備している。パネル１３への採光シート１２０の取り付けは採光パネル１２と同様に接着層２６により行われている。
【００９０】
採光シート１２０は、室内側からハードコート層２１、保護層１２１、接着層１２２、光散乱層１２３、基材層２２、接着層２６を備えている。以下、保護層１２１、接着層１２２、光散乱層１２３について説明する。
【００９１】
本実施形態で保護層１２１は、ハードコート層２１の室外側面に積層され、基材層２２と対になり、保護層１２１と基材層２２との間に光散乱層１２３を挟むように配置される層である。これにより、基材層２２と併せて光散乱層１２３を保護する機能を有する。保護層１２１はこのような機能を有するものであれば、その材料は特に限定されることはないが、例えば上記した基材層２２と同様の材料により構成することができる。
【００９２】
接着層１２２は、保護層１２１と光散乱層１２３とを接着して積層するための層であり、接着層２６と同様の構成を適用することができる。
【００９３】
光散乱層１２３は光透過部１２４及び光散乱部１２５を有している。本実施形態における光散乱層１２３も、光透過部１２３が図１１に示した断面を有して基材層２２の面に沿った一方向（建物１に配置された姿勢で水平方向）に延びるように配置されるとともに、該一方向とは異なる方向の基材層２２の面に沿って（建物１に配置された姿勢で鉛直方向）複数の光透過部１２４が配列されている。本実施形態では隣り合う光透過部１２４が基材層側の端部で連結され、一体化されている。
一方、光散乱部１２５は光透過部１２４の間に配置されている。
【００９４】
図１２には光散乱層１２３の一部を拡大した図を示した。
光透過部１２４は、光を透過する部位であり、光散乱層１２３のうち光透過部１２４が配置された部位における基材層２２側の面とその反対側面（接着層１２２側の面）とは平行に形成されている。これによって、採光シート２０と同様に背面側の景色がさらに見やすくなる。好ましくは光透過部１２４は光を散乱させることなく透過する。これにより背面側の景色の見易さが向上する。
【００９５】
本実施形態では光透過部１２４は図１１、図１２に表れる断面で光散乱部１２５間において略台形の断面を有しており、室内側が短い上底、室外側が長い下底であり光散乱部１２５との界面を構成する辺が脚部となっている。すなわち採光シート２０の光散乱層２３とは室内外が逆となる構成とされている。光透過部１２４を構成する材料は、上記した光透過部２４と同様のものを適用することができる。
【００９６】
光散乱部１２５は、隣り合う２つの光透過部１２４間に形成される部位である。すなわち、上記したように光透過部１２４はシート面に沿った方向に所定の間隔で並列され、光透過部１２４間には、略台形断面を有する凹部が形成されている。本実施形態における凹部は、室内側（保護層１２１側）に長い下底、室外側（基材層２２側）に短い上底を有する断面の溝であり、ここに光散乱部１２５を構成する材料が充填されることにより光散乱部１２５が形成されている。従って光散乱部１２５は凹部に基づいた断面を具備している。光散乱部１２４を構成する材料は上記した光散乱部２５と同様のものを適用することができる。
【００９７】
また、光散乱層１２３においても同様に見込み角θ１を定義することができる。従って、図１２にＸＩａで示したように隣り合う光散乱部１２５の向かい合う辺について、下方に配置される光散乱部１２５の辺の室内側端部と、隣接して上方に配置される光散乱部１２５の辺の室外側端部とを結ぶ線ＸＩａを見込み線とし、該見込み線ＸＩａが水平面となす角のうち９０°以下の方の角を見込み角θ１とする。
当該見込み角θ１が取るべき範囲の考え方については、これまで説明する通りである。また、その他形状についても同様の考え方により形成することができる。
【実施例】
【００９８】
以下に示す各実施例及び比較例では、東京における南中高度を考慮した例を説明する。東京では、一年のうち最も高い南中高度における仰角θＳＨは７８°、一年のうち最も低い南中高度における仰角θＳＬは３１°である（表１も参照）。
また、各実施例及び比較例で用いる光透過部の屈折率はＮｐは１．５５０である。従って、仰角θＳＨのとき、光透過部内を進む太陽光の進行角（太陽光進行角）θｐは３９．１°、仰角θＳＬのとき、光透過部内を進む太陽光の進行角（太陽光進行角）θＰは１９．４°である。
【００９９】
実施例１では採光シート２０を備える採光パネル１２の例による採光パネルを作製した。図１３、表２に実施例１における光散乱層の形状を表した。これらからわかるように、実施例１では、見込み角θ１を１９．４°とし、仰角θＳＬのときの太陽光進行角θＰと同じとした。
【０１００】
ここで、光散乱層等を次のように形成した。
（１）光透過部構成組成物の調整
ビスフェノールＡエチレンオキシド／キシリレンジイソシアネート／フェノキシエチルアクリレート／２−ヒドロキシエチルアクリレート／ビスマストリ（２−エチルヘキサノエート）＝３０：１５：５０：５：０．０２で混合し、８０℃で１０時間反応させ、光硬化性プレポリマー（Ｐ１）を得た。
一方、ビスフェノールＡエチレンオキシド／イソホロンジイソシアネート／フェノキシエチルアクリレート／ビスマストリ（２−エチルヘキサノエート）＝３０：２０：５０：０．０２で混合し、８０℃で１０時間反応させ、光硬化性プレポリマー（Ｐ２）を得た。
次に、光硬化性プレポリマー（Ｐ１）を３０質量部、光硬化性プレポリマー（Ｐ２）を３０質量部、反応性希釈モノマー（Ｍ１）としてのフェノキシエチルアクリレートを１０質量部、反応性希釈モノマー（Ｍ２）としてのビスフェノールＡエチレンオキシドを３０質量部、金型離型剤（Ｓ１）としてのテトラデカノールエチレンオキシド１０モル付加物のリン酸エステルを０．０３質量部、金型離型剤（Ｓ２）としてのステアリルアミンエチレンオキシド１５モル付加物を０．０３質量部、及び光重合開始剤（Ｉ１）としての１−ヒドロキシシクロヘキシルフェニルケトン（商品名：イルガキュア１８４、メーカー名：ＢＡＳＦ）を３質量部混合し、均一化して、光透過部構成組成物を得た。
なお、この光透過部構成組成物を厚さ１００μｍで塗工し、高圧水銀灯により８００ｍＪ／ｃｍ２の紫外線を照射して光透過部構成組成物を硬化させ、多波長アッベ屈折率計（株式会社アタゴ製）を用いて、５８９ｎｍの屈折率を測定したところ、１．５５０であった。
【０１０１】
（２）基材
基材としてはＰＥＴフィルム、商品名：Ａ４３００、東洋紡績社製、厚さ１００μｍを用いた。
【０１０２】
（３）金型ロールの作製
光散乱層の作製に供される金型ロールを次のように作製した。すなわち、金型ロールは円柱状であり、銅メッキが施され、当該銅メッキ部分をバイトにより切削して光透過部に対応する溝を形成した。バイトとしてはダイヤモンドバイトを用いた。ロール軸方向の所定ピッチで金型ロールの銅メッキ層の外周を切削して溝を形成し、クロムメッキをした。
【０１０３】
（４）光透過部の形成
上記（３）で作製した金型ロールとニップロールとの間に、上記（２）で説明した基材を搬送した。この基材の搬送に合わせ、上記（１）で得られた光透過部構成組成物を基材の基材層上に供給装置から供給し、金型ロールおよびニップロール間の押圧力により、基材層と金型ロールとの間に光透過部構成組成物を充填した。その後、基材側から高圧水銀灯により８００ｍＪ／ｃｍ２の紫外線を照射して光透過部構成組成物を硬化させて、光透過部を形成した。その後、剥離ロールにより、金型ロールから光透過部を離型し、光透過部を含むシート（中間部材）を作製した。
この光透過部について、圧縮式微小硬度計（ＦＩＳＣＨＥＲ  ＨＭ２０００）を用いて微小圧子材料に負荷をかけ、これを除荷することによって弾性率を測定した。このとき、負荷力は１００ｍＮ、負荷速度は４μｍ／１０秒、保持時間は６０秒とした。その結果、光透過部の弾性率は８００ＭＰａであった。
【０１０４】
（５）光散乱部構成組成物の調整
光硬化性プレポリマー（Ｐ３）としてウレタンアクリレートを４２質量部、光硬化性プレポリマー（Ｐ４）としてエポキシアクリレートを１８質量部、反応性希釈モノマー（Ｍ３）としてのトリプロピレングリコールジアクリレートを３５質量部、反応性希釈モノマー（Ｍ４）としてのメトキシトリエチレングリコールアクリレートを５質量部、光散乱剤（Ｄ１）としての酸化チタンを５質量部、光重合開始剤（Ｉ１）としての１−ヒドロキシシクロヘキシルフェニルケトン（商品名：イルガキュア１８４、メーカー名：ＢＡＳＦ）を７質量部混合し、均一化して、光散乱部を構成する組成物を得た。
なお、この光散乱部を構成する組成物の光散乱剤を除いた成分を厚さ１００μｍで塗工し、高圧水銀灯により８００ｍＪ／ｃｍ２の紫外線を照射して組成物を硬化させ、多波長アッベ屈折率計（株式会社アタゴ製）を用いて、５８９ｎｍの屈折率を測定したところ、１．４９０であった。
【０１０５】
（６）光散乱部（光散乱層）の形成
上記（５）で得られた光散乱部を構成する組成物を、上記（４）で作製した中間部材上に供給装置から供給した。また、中間部材の進行方向と略垂直に配置されたドクターブレードを用いて、中間部材上に供給した光拡散部を構成する組成物を中間部材に形成された略Ｖ字形状の溝（光透過部間の溝）内に充填するとともに、余剰分の光散乱部を構成する組成物を掻き落とした。その後、高圧水銀灯により８００ｍＪ／ｃｍ２の紫外線を照射して光拡散部構成組成物を硬化させ、硬化した光散乱部を構成する組成物によって光拡散部を形成した（これを１回目の充填と記載することがある。）。この状態では、光拡散部の表面には、深さ６μｍの窪みが発生していた。上記工程を更に１回行ったところ、光散乱部の表面には、深さ３μｍの窪みが発生していた。
【０１０６】
（７）粘着剤層の形成
アクリル系樹脂の粘着剤（商品名：ＳＫダイン２０９４、綜研化学株式会社、固形分２５．０％、溶剤は酢酸エチルとメチルエチルケトン）を１００質量部と、架橋剤（Ｅ−５ＸＭ、Ｌ−４５、綜研化学株式会社、固形分５．０％）を０．２８質量％と、１，２，３−ベンゾトリアゾールを０．２５質量部と、希釈溶剤（トルエン／メチルエチルケトン／シクロヘキサノン＝２７．６９ｇ／２７．６９ｇ／４．６１ｇ）を３２．０質量部と、を混合して粘着剤組成物を得た。
この組成物を離型フィルム（商品名：Ｅ７００７、東洋紡績社製、厚さ３８μｍ）に塗布して乾燥させ、上記光散乱層の面と貼り合わせた。
なお、この粘着剤層について、多波長アッベ屈折計ＤＲ−Ｍ４（株式会社アタゴ製）を用いて５８９ｎｍの屈折率を測定したところ、１．４９０であった。また、この粘着剤層の貯蔵弾性率は０．２２ＭＰａであった。
【０１０７】
図１４、図１５、及び表２に実施例２、３における光散乱層の形状をそれぞれ表した。これら各実施例についても具体的な各所の寸法は異なるが、見込み角θ１を１９．４°とし、仰角θＳＬのときの太陽光進行角θＰと同じとした。
【０１０８】
図１６、及び表２に実施例４における光散乱層の形状をそれぞれ表した。実施例４では見込み角θ１を３４．４°とし、θＳＬのときの太陽光進行角θＰよりも大きく、θＳＨのときの太陽光進行角θＰよりも小さくなるようにθ１を形成した。
【０１０９】
図１７、及び表２に比較例１における光散乱層の形状を表した。比較例１では見込み角θ１をθＳＨのときの太陽光進行角θＰよりも大きくなるように形成した。
【０１１０】
【表２】
2014119737.tif 000016
【０１１１】
以上示した各例の採光パネルについて、次のように直達光及び採光効率を測定して評価した。
光源（メタルハライドファイバー光源、ＩＭＨ−２５０、シグマ光機株式会社）により白色光を所定の角度θＳＨ、θＳＬで採光パネルに投射した。このとき、照度計（Ｔ−１Ｈ、コニカミノルタオプティクス株式会社）を参照しつつ、光源が５００ｌｘになるように調整した。
輝度計（ＬＳ−１１０、コニカミノルタオプティクス株式会社）を採光シートの入光側、及びその反対側（出光側）に設置して、それぞれの輝度を測定し、輝度比から採光効率を算出した。
一方、直達光の評価は、まぶしさを主観評価し、十分まぶしくないと感じるレベルを◎、まぶしくないと感じるレベルを○、直視できないと感じるレベルを×とした。
【０１１２】
参考例としてパネルのみの例についても同様に測定及び評価した。表３に結果を表した。
【０１１３】
【表３】
2014119737.tif 000017
【０１１４】
表３の結果からわかるように、見込み角θ１が式（２）を満たすことにより、効率よく直達光を減らし、高い採光効率を得ることが可能である。
【０１１５】
従来の技術は、太陽光が拡散せずに、室内に直接達する光（直達光）が多い場合があり、室内の人がまぶしさを感じてしまう不具合があった。結果として、室内が明るくなったとしても、まぶしさ防止のため、カーテンやブラインドをしてしまい、室内が暗くなってしまう不具合があった。本発明によればこれを抑制することができ、室内を従来のように暗くすることなく、まぶしさをも防止することができる。
【符号の説明】
【０１１６】
１  建物
１０  採光装置
１１  枠
１２  採光パネル
１３  パネル
２０  採光シート
２１  ハードコート層
２２  基材層
２３  光散乱層
２４  光透過部
２５  光散乱部
２６  接着層
１１２  採光パネル
１２０  採光シート
１２１  ハードコート層
１２２  接着層
１２３  光散乱層
１２４  光透過部
１２５  光散乱部
【図１】
2014119737.tif 000021
【図２】
2014119737.tif 000022
【図３】
2014119737.tif 000023
【図４】
2014119737.tif 000024
【図５】
2014119737.tif 000025
【図６】
2014119737.tif 000026
【図７】
2014119737.tif 000027
【図８】
2014119737.tif 000028
【図９】
2014119737.tif 000029
【図１０】
2014119737.tif 000030
【図１１】
2014119737.tif 000031
【図１２】
2014119737.tif 000032
【図１３】
2014119737.tif 000033
【図１４】
2014119737.tif 000034
【図１５】
2014119737.tif 000035
【図１６】
2014119737.tif 000036
【図１７】
2014119737.tif 000037